(57)【要約】【課題】  水中撮影において適正な露出条件で撮影できるようにする。【解決手段】  複数の色フィルターが装着された撮像素子で撮影する環境が空気中と水中のいずれかであるかを選択する撮影環境選択手段と、前記複数の色フィルターに対応する撮像素子から出力される映像信号の露光状態を評価する露出評価値を算出する露出評価値算出手段と、前記露出評価値算出手段により算出された露出評価値より露光条件を定めて撮影する撮影手段とを有し、前記露出評価値算出手段は、前記複数の色フィルターが装着された撮像素子の出力に対して、色毎の重み係数をかける重み付け手段を有し、前記重み付け手段により、前記撮影環境選択手段により選択された撮影する環境に応じて前記色毎の重み係数を変えるようにすることにより、水中撮影においても空気中撮影においても適正な露出評価値が得られるようにする。【選択図】  図１
2007019643.tif 000002
【特許請求の範囲】
【請求項１】
複数の色フィルターが装着された撮像素子を有する撮像装置であって、
前記撮像素子で撮影する環境が空気中と水中のいずれかであるかを判別する撮影環境判別手段と、
前記複数の色フィルターに対応する撮像素子から出力される映像信号の露光状態を評価する露出評価値を算出する露出評価値算出手段と、
前記露出評価値算出手段により算出された露出評価値より露光条件を定めて撮影する撮影手段とを有し、
前記露出評価値算出手段は、前記複数の色フィルターが装着された撮像素子の出力に対して、色毎の重み係数をかける重み付け手段を有し、
前記重み付け手段は、前記撮影環境判別手段により判別された撮影する環境に応じて前記色毎の重み係数を変えることを特徴とする撮像装置。
【請求項２】
前記重み付け手段は、水中撮影時には、空気中撮影時よりも青色の重み係数の比率を上げることを特徴とする請求項１に記載の撮像装置。
【請求項３】
前記撮影環境判別手段は、前記撮像装置の防水ケースの装着を検知することによって前記環境を判別することを特徴とする請求項１に記載の撮像装置。
【請求項４】
更に、水圧センサを有し、
前記撮影環境判別手段は、前記水圧センサにより水圧を検知することによって前記環境を判別することを特徴とする請求項１に記載の撮像装置。
【請求項５】
記憶手段を有し、
前記重み付け係数は、予めテーブルで前記記憶手段に記憶されていることを特徴とする請求項１に記載の撮像装置。
【請求項６】
複数の色フィルターが装着された撮像素子を有する撮像方法であって、
前記撮像素子で撮影する環境が空気中と水中のいずれかであるかを判別する撮影環境判別工程と、
前記複数の色フィルターに対応する撮像素子から出力される映像信号の露光状態を評価する露出評価値を算出する露出評価値算出工程と、
前記露出評価値算出工程により算出された露出評価値より露光条件を定めて撮影する撮影工程とを有し、
前記露出評価値算出工程は、前記複数の色フィルターが装着された撮像素子の出力に対して、色毎の重み係数をかける重み付け工程を有し、
前記重み付け工程においては、前記撮影環境判別工程により判別された撮影する環境に応じて前記色毎の重み係数を変えることを特徴とする撮像方法。
【請求項７】
前記重み付け工程は、水中撮影時には、空気中撮影時よりも青色の重み係数の比率を上げることを特徴とする請求項６に記載の撮像方法。
【請求項８】
前記撮影環境判別工程は、前記撮像装置の防水ケースの装着を検知することによって前記環境を判別することを特徴とする請求項６に記載の撮像方法。
【請求項９】
前記撮影環境判別工程は、水圧センサにより水圧を検知することによって前記環境を判別することを特徴とする請求項６に記載の撮像方法。
【請求項１０】
前記重み付け係数は、予めテーブルで記憶手段に記憶されていることを特徴とする請求項６に記載の撮像方法。
【請求項１１】
複数の色フィルターが装着された撮像素子を有する撮像方法をコンピュータに実行させるコンピュータプログラムであって、
前記撮像素子で撮影する環境が空気中と水中のいずれかであるかを判別する撮影環境判別工程と、
前記複数の色フィルターに対応する撮像素子から出力される映像信号の露光状態を評価する露出評価値を算出する露出評価値算出工程と、
前記露出評価値算出工程により算出された露出評価値より露光条件を定めて撮影する撮影工程とを有し、
前記露出評価値算出工程は、前記複数の色フィルターが装着された撮像素子の出力に対して、色毎の重み係数をかける重み付け工程を有し、
前記重み付け工程においては、前記撮影環境判別工程により判別された撮影する環境に応じて前記色毎の重み係数を変える撮像方法をコンピュータに実行させることを特徴とするコンピュータプログラム。
【請求項１２】
前記請求項１１に記載のコンピュータプログラムを記録したことを特徴とするコンピュータ読み取り可能な記録媒体。
【発明の詳細な説明】
【技術分野】
【０００１】
本発明は撮像装置、撮像方法、コンピュータプログラム及び記録媒体に関し、特に、空気中で撮影したり、水中で撮影したりする撮像装置に用いて好適な技術に関する。
【背景技術】
【０００２】
従来、撮像素子を用いた水中撮影と空気中（陸上）撮影とでの露出制御における露出評価値の生成方法は同じであり、複数の色フィルター（例えば原色R,G,B）を有する撮像素子を用いたシステムにおいては、露出評価値を各色出力信号に各色に応じて重み係数をかけて生成し、該露出評価値をもとに撮影の露出条件（絞り・シャッタースピード・感度）を決定しており、水中と空気中とでの色に応じた重み係数に違いは無いシステム（例えば、特許文献１を参照）としており、一般に重み係数は(R：G：B)＝(0.299：0.587：0.114)  もしくは、該数値に近似した値を用いている。
【０００３】
【特許文献１】特開２００４−２８２４６０号公報
【発明の開示】
【発明が解決しようとする課題】
【０００４】
しかしながら、水中においては光の長波長側の透過率が空気中に比べ大きく減衰する。このため、水中においては撮像素子における赤色の出力信号は小さくなり、相対的に青色の出力信号が大きくなる。
【０００５】
しかるに、前記の様に露出評価値を生成する際の青色に対する重みが小さいことにより、光源として赤色成分が僅かしかなく青色成分の多い水中においては適正な露光条件を求めることができない問題がある。特に銀塩フィルムに比べ撮像素子はダイナミックレンジが狭いため、空気中と同じ重み係数で生成された露出評価値で露出条件を決めて撮影すると、高輝度の青色レベルが飽和したような画像になりやすい問題点があった。
【０００６】
本発明は前述の問題点にかんがみ、水中撮影においても空気中と同様な適正な露出条件で撮影することが可能なカメラを提供できるようにすることを目的としている。
【課題を解決するための手段】
【０００７】
本発明の撮像装置は、複数の色フィルターが装着された撮像素子を有する撮像装置であって、前記撮像素子で撮影する環境が空気中と水中のいずれかであるかを判別する撮影環境判別手段と、前記複数の色フィルターに対応する撮像素子から出力される映像信号の露光状態を評価する露出評価値を算出する露出評価値算出手段と、前記露出評価値算出手段により算出された露出評価値より露光条件を定めて撮影する撮影手段とを有し、前記露出評価値算出手段は、前記複数の色フィルターが装着された撮像素子の出力に対して、色毎の重み係数をかける重み付け手段を有し、前記重み付け手段は、前記撮影環境判別手段により判別された撮影する環境に応じて前記色毎の重み係数を変えることを特徴とする。
【０００８】
本発明の撮像方法は、複数の色フィルターが装着された撮像素子を有する撮像方法であって、前記撮像素子で撮影する環境が空気中と水中のいずれかであるかを判別する撮影環境判別工程と、前記複数の色フィルターに対応する撮像素子から出力される映像信号の露光状態を評価する露出評価値を算出する露出評価値算出工程と、前記露出評価値算出工程により算出された露出評価値より露光条件を定めて撮影する撮影工程とを有し、前記露出評価値算出工程は、前記複数の色フィルターが装着された撮像素子の出力に対して、色毎の重み係数をかける重み付け工程を有し、前記重み付け工程においては、前記撮影環境判別工程により判別された撮影する環境に応じて前記色毎の重み係数を変えることを特徴とする。
【０００９】
本発明のコンピュータプログラムは、複数の色フィルターが装着された撮像素子を有する撮像方法をコンピュータに実行させるコンピュータプログラムであって、前記撮像素子で撮影する環境が空気中と水中のいずれかであるかを判別する撮影環境判別工程と、前記複数の色フィルターに対応する撮像素子から出力される映像信号の露光状態を評価する露出評価値を算出する露出評価値算出工程と、前記露出評価値算出工程により算出された露出評価値より露光条件を定めて撮影する撮影工程とを有し、前記露出評価値算出工程は、前記複数の色フィルターが装着された撮像素子の出力に対して、色毎の重み係数をかける重み付け工程を有し、前記重み付け工程においては、前記撮影環境判別工程により判別された撮影する環境に応じて前記色毎の重み係数を変える撮像方法をコンピュータに実行させることを特徴とする。
【００１０】
本発明の記録媒体は、前記に記載のコンピュータプログラムを記録したことを特徴とする。
【発明の効果】
【００１１】
本発明によれば、露出評価値を生成する際に複数色に対する重み係数を任意に変えることができるようにしたので、水中撮影を行う場合においても空気中撮影を行う場合とどうように、撮影環境に適した露出評価を生成して撮影可能なカメラを提供することができる。
また、本発明のその他の特徴によれば、水中撮影時においては青色の重み係数の比率を、空気中撮影を行う時よりも上げるようにしたので、適正な露出評価値で水中撮影を行うことができる。
【発明を実施するための最良の形態】
【００１２】
（第１の実施の形態）
以下、図面を参照しながら本発明の実施の形態を説明する。
図１は、本実施の形態の撮像装置５０の構成を表すブロック図である。図１において、１は対象物からの光を集光させる結像レンズやズームレンズ等の光学系、２は光学系１により集光した光量を制御するための絞り装置、３は光学系１および絞り装置２により集光した光学像を電気信号に変換するＣＣＤであり、本実施の形態においては複数の色フィルタ（図示せず）を備えている。
【００１３】
４はＣＣＤ３より出力された電気信号より所望の信号成分を取り出すCDS（相関２重サンプリング）回路部と該信号を増幅する増幅回路を有し、該増幅回路出力信号をデジタル信号に変換するA／D回路部とを有するCDS・A／D回路、５はＣＣＤ３を駆動させるための駆動パルスを発生させるためのＴＧ回路である。
【００１４】
６はデータバス、７は各種のデータを記憶するための記憶装置（メモリ）、８はCDS・A／D回路４の出力する映像信号から、あるいは該映像信号をメモリ７に一旦記憶させた後に所定のタイミングでメモリ７より読み出した映像信号から、映像信号を所定のブロックに分割し、分割したブロック毎に、かつＣＣＤ３が有する色フィルタの種類毎に信号を積分する積分回路、９は積分回路８により各ブロック毎に積分された複数色の積分値より測光のための評価値を生成する測光評価回路である。
【００１５】
１０はCDS・A／D回路４から出力される映像信号、あるいは該映像信号をメモリ７に一旦記憶させた後に所望のタイミングでメモリ７より読み出した映像信号に対して所定の処理を施して所望の信号形態とする信号処理回路、１１は信号処理回路１０により処理された映像信号を所望の圧縮形態に圧縮する圧縮回路、１２は圧縮回路１１により圧縮された信号を記録する記録媒体、１３はストロボ装置である。
【００１６】
１４は本実施の形態のシステム全体を制御する制御手段として機能するＣＰＵ、１５は本実施の形態のシステムを操作するための操作部であり、測光方法の選択釦およびレリーズ釦を有するとともに、水中撮影と空気中の撮影とを選択する釦を有するものとする。
【００１７】
図２は、前記の測光評価回路９の構成を詳細に表したブロック図である。
図２において、２１は重み付け回路であり、前記積分回路８により各ブロック毎に積分された複数色の積分値に対して、各ブロックに応じた重み付けを行う。本実施の形態においては、操作部１５により選択された測光方式（たとえば、評価測光方式やスポット測光など）に応じて、ＣＰＵ１４が各ブロックに対する係数を発生させ、該係数を各ブロックの各色の積分値に対して掛けるものとする。
【００１８】
２２は露出評価値生成回路であり、重み付け回路２１の出力に対して各色毎に重み付けを行い、測光結果としての露出評価値を生成する。前記の信号の流れを詳細に説明すると、例えばＣＣＤ３が原色（赤、緑、青）=（R・G・B）フィルターを有し、積分回路８は映像を（垂直aブロック、水平bブロック）に分割する場合、積分回路８の出力は、
（sR11,sG11,sB11）,（sR12,sG12,sB12）, （sR13,sG13,sB13）,・・・・（sR1b,sG1b,sB1b）
（sR21,sG21,sB21）,（sR22,sG22,sB22）, （sR23,sG23,sB23）,・・・・（sR2b,sG2b,sB2b）
・・・・
（sRa1,sGa1,sBa1）,（sRa2,sGa2,sBa2）, （sRa3,sGa3,sBa3）,・・・・（sRab,sGab,sBab）
となる。
【００１９】
ＣＰＵ１４から与えられる各ブロックへの重みが以下のようであるならば、
W11 ,W12 , W13 ,・・・・W1b
W21 ,W22 , W23 ,・・・・W2b
・・・・
Wa1 ,Wa2 , Wa3 ,・・・・Wab
となる。
【００２０】
重み付け回路２１の出力は以下のようになる。
W11＊(sR11, sG11, sB11）, W12＊(sR12,sG12,sB12）, W13＊(sR13,sG13,sB13）,・・・・W1b＊(sR1b,sG1b,sB1b)
W21＊(sR21, sG21, sB21）, W22＊(sR22,sG22,sB22）, W23＊(sR23,sG23,sB23）,・・・・W2b＊(sR2b,sG2b,sB2b）
・・・・
Wa1＊(sRa1, sGa1, sBa1）, Wa2＊(sRa2,sGa2,sBa2）, Wa3＊(sRa3,sGa3,sBa3）,・・・・Wab＊(sRab,sGab,sBab)
【００２１】
露出評価値生成回路２２は、前記の重み付け回路２１の出力を受けて、色毎に各ブロックの重み付けされた積分値を加算した後に、各色に応じた重み付けして加算することで露出評価値 Yexp を以下のように生成する。尚、kr1, kg1, kb1は、各色（R・G・B）に対する重み付け係数とする。
Yexp = kr1＊ΣsR + kg1＊ΣsG + kb1＊ΣsB
ΣsR= W11＊sR11 ＋W12＊sR12＋…＋W1b＊sR1b＋W21＊sR21＋…＋W2b＊sR2b＋…＋Wab＊sRab
ΣsG =W11＊sG11 ＋W12＊sG12＋…＋W1b＊sG1b＋W21＊sG21＋…＋W2b＊sG2b＋…＋Wab＊sGab
ΣsB =W11＊sB11 ＋W12＊sB12＋…＋W1b＊sB1b＋W21＊sB21＋…＋W2b＊sB2b＋…＋Wab＊sBab
【００２２】
図３は、本実施の形態の撮像装置５０の特徴を最も良く表すフローチャートであり、このフローチャートに沿って動作の説明をする。
図３に示したように、ステップＳ３００でレリーズ釦が押されると、ステップＳ３０１に進み、操作部１５の操作状況を検出し、操作状況により水中撮影を選択しているのか、あるいは水中ではなく通常の空気中の撮影を選択しているのかを判別する。
【００２３】
ステップＳ３０１の判別の結果、通常の空気中の撮影が選択されていた場合には、ステップＳ３０２に進み、前記図２の露出評価値生成回路２２における各色の重み係数(前記式：kr1, kg1, kb1)を空気中撮影用の値とする。
【００２４】
この値は、一般に原色(R,G,B)信号から輝度信号を生成する下記の式における各色成分比率と同じ、もしくは近似的な値を設定する。例えば、輝度信号の生成式が
Y＝0.299＊R＋0.5870＊G＋0.1140＊B
である場合、(kr1, kg1, kb1)=(0.2990,0.5870,0.1140)
と設定する。
あるいは、(kr1, kg1, kb1)=(0.3,0.6,0.1) 
と設定するものとする。
【００２５】
したがって、露出評価値Yexp は、
Yexp = kr1＊ΣsR + kg1＊ΣsG + kb1＊ΣsB
となる。前記の各色に対する重み係数は、人間の各色に対する明るさとしての感じ方に合わせて設定しているものである。
【００２６】
一方、ステップＳ３０１の判別の結果、水中撮影が選択されていた場合にはステップＳ３０３に進み、前記図２の露出評価値生成回路２２における各色の重み係数(前記式：kr1, kg1, kb1)を水中撮影用の値とする。例えば、水中用の係数として、「(kr1, kg1, kb1)=(0.1,0.5,0.4) 」のように、空気中の係数に対して、赤色に対する重み係数を減らし、青色に対する重み係数を増やした値を設定する。
【００２７】
前述したように、水中においては、長波長側の光が水により吸収されるため、水中での光は赤色成分が小さくなり青色成分の比率が大きくなるので、前記水中での露出評価値Yexp を生成するための係数は、空気中の設定に対して赤色の係数を小さくし、青色の係数を大きくしたものを設定する。
【００２８】
次に、ステップＳ３０４に進んで、前記操作部１５により選択された測光方式（たとえば、評価測光方式やスポット測光など）に応じて、ＣＰＵ１４が各ブロックに対する重み係数を設定する。
【００２９】
次に、ステップＳ３０５に進み、は前記ステップＳ３０２〜ステップＳ３０４で設定された各係数を所望の箇所に設定された状態で、ＣＣＤ３に入射光の測光動作を行う。
次に、ステップＳ３０６に進み、ステップＳ３０５の測光結果より静止画像撮影の露光条件（絞り値、シャッタースピード、感度）を設定する。
【００３０】
次に、ステップＳ３０７に進み、ステップＳ３０６で設定された露光条件で、ＣＣＤ３を露光させることで静止画像の撮影を行う。
次に、ステップＳ３０８に進み、ステップＳ３０７で露光したＣＣＤ３の信号を読み出し、この読み出した信号をCDS・A／D回路４において所望の信号成分を取り出すCDS（相関２重サンプリング）するとともに増幅し、その後Ａ／Ｄ変換する。次に、信号処理回路１０により所望の処理を施す処理を行う。その後、ステップＳ３０９において、圧縮回路１１により圧縮して記録媒体１２に記録する。
【００３１】
前記の説明では、ＣＣＤ３が原色（R・G・B）フィルターである場合で説明したが、次に、ＣＣＤ３が補色（Ye,Cy,G,Mg）フィルター（＝黄、シアン、緑、マゼンタ）から成る場合を説明する。
図２の積分回路８は映像を（垂直aブロック、水平bブロック）に分割する場合、積分回路８の出力は、
（sYe11, sCy11,sG11,sMg11）,(sYe12, sCy12,sG12,sMg12),（sYe13 ,sCy13 ,sG13 ,sMg13）,・・・・（sYe1b, sCy1b ,sG1b ,sMg1b）
（sYe21, sCy21,sG21,sMg21）,（sYe22, sCy22,sG22,sMg22）, （sYe23 ,sCy23 ,sG23 ,sMg23）,・・・・（sYe2b, sCy2b ,sG2b ,sMg2b）
・・・・
（sYea1, sCya1,sGa1,sMga1）,（sYea2, sCya2,sGa2,sMga2）, （sYea3 ,sCya3 ,sGa3 ,sMga3）,・・・・（sYeab, sCyab ,sGab ,sMgab）
となる。
【００３２】
ＣＰＵ１４から与えられる各ブロックへの重みが以下のようであるならば、
W11 ,W12 , W13 ,・・・・W1b
W21 ,W22 , W23 ,・・・・W2b
・・・・
Wa1 ,Wa2 , Wa3 ,・・・・Wab
重み付け回路２１の出力は以下のようになる。
W11＊（sYe11, sCy11,sG11,sMg11）, W12＊(sYe12, sCy12,sG12,sMg12）, ・・・・W1b＊（sYe1b, sCy1b ,sG1b ,sMg1b）
W21＊（sYe21, sCy21,sG21,sMg21）, W22＊（sYe22, sCy22,sG22,sMg22）,・・・・W2b＊（sYe2b, sCy2b ,sG2b ,sMg2b）
・・・・
Wa1＊（sYea1, sCya1,sGa1,sMga1）, Wa2＊（sYea2, sCya2,sGa2,sMga2）, ・・・・Wab＊（sYeab, sCyab ,sGab ,sMgab）
【００３３】
露出評価値生成回路２２は、前記の重み付け回路２１の出力を受けて、色毎に各ブロックの重み付けされた積分値を加算した後に、各色に応じた重み付けして加算することで露出評価値 Yexp を以下のように生成する。尚、kye1, kcy1, kg1, kmg1は各色（Ye,Cy,G,Mg）に対する重み付け係数とする。
【００３４】
Yexp = kye1＊ΣsYe + kcy1＊ΣsCy + kg1＊ΣsG + kmg1＊ΣsMg 
ΣsYe= W11＊sYe11 ＋W12＊sYe12＋…＋W1b＊sYe1b＋W21＊sYe21＋…＋W2b＊sYe2b＋…＋Wab＊sYeab
ΣsCy=W11＊sCy11 ＋W12＊sCy12＋…＋W1b＊sCy1b＋W21＊sCy21＋…＋W2b＊sCy2b＋…＋Wab＊sCyab
ΣsG=W11＊sG11 ＋W12＊sG12＋…＋W1b＊sG1b＋W21＊sG21＋…＋W2b＊sG2b＋…＋Wab＊sGab
ΣsMg=W11＊sMg11 ＋W12＊sMg12＋…＋W1b＊sMg1b＋W21＊sMg21＋…＋W2b＊sMg2b＋…＋Wab＊sMgab
【００３５】
空気中での（kye1, kcy1, kg1, kmg1）の設定を（0.25,0.25,0.25,0.25）とし、
補色（Ye,Cy,G,Mg）を原色(R,G,B)による成分で表現すると、
Yexp = 0.25＊ΣsYe + 0.25＊ΣsCy + 0.25＊ΣsG + 0.25＊ΣsMg
= 0.25＊ΣsR + 0.５＊ΣsG + 0.25＊ΣsB
として表現できる。
【００３６】
なお、補色（Ye,Cy,G,Mg）を原色(R,G,B)に変換する式は、
「Ye=0.5R+0.5G」、「Cy=0.5G+0.5B 」、「G=G , Mg=0.5R+0.5B」となる。
【００３７】
前記したように、空気中での露出評価値を生成する係数を設定するのに対し、水中での係数設定を行う場合には、光源の赤色成分比が減少し青色成分比が増加するのに合わせて、（kye1, kcy1, kg1, kmg1）の設定を（0.1,0.3,0.3,0.3）とし、補色（Ye,Cy,G,Mg）を原色(R,G,B)による成分で表現すると、
Yexp = 0.1＊ΣsYe + 0.3＊ΣsCy + 0.3＊ΣsG + 0.3＊ΣsMg
= 0.2＊ΣsR + 0.５＊ΣsG + 0.3＊ΣsB
と設定する。
【００３８】
前述した実施の形態は、１つの撮像素子が複数の色フィルターを有した場合であるが、複数の撮像素子がそれぞれ異なる色フィルターを有するシステムにおいても、前記の実施の形態は有効である。
【００３９】
（本発明に係る他の実施の形態）
また、前述の実施例では、撮影環境が水中か空気中であるかを、水中か空気中かを選択する釦で判別した。
水中撮影では、図４（ａ）及び（ｂ）に示すような防水ケース４０を撮像装置５０に装着する。このとき、防水ケース４０の装着を検知する機構を設け、装着を検知することによって、水中か空気中かを判別し、露出評価値生成回路２２における各色の重み係数を自動的に切り替えるようにする。
【００４０】
また、不図示の水圧センサを搭載し、水中か空気中かを判別しても良い。
また、ＣＰＵ１４が各ブロックの積分値に対して対する重み付け係数を発生させたが、発重み係数はＲＯＭにルックアップテーブル化して持っていても良い。こうすることにより、積分回路で算出した積分値に対してテーブルを参照するだけで良く、ＣＰＵでの演算が不要になるため、処理が高速化される。
【００４１】
前述した本発明の実施の形態における撮像装置５０を構成する各手段、並びに撮像方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４２】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００４３】
なお、本発明は、前述した実施の形態の機能を実現するソフトウェアのプログラム（実施の形態では図３に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００４４】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４５】
その場合、プログラムの機能を有していれば、オブジェクトコード、インタプリタにより実行されるプログラム、ＯＳに供給するスクリプトデータ等の形態であってもよい。
【００４６】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４７】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００４８】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００５０】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００５１】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００５２】
【図１】本発明の実施の形態を示し、撮像装置の概略構成を表すブロック図である。
【図２】測光評価回路の構成例を表すブロック図である。
【図３】実施の形態の撮像装置の動作を説明するフローチャートである。
【図４】実施の形態の撮像装置用防水ケースを表す図であり、（ａ）は撮像装置を防水ケースに収納する様子を示し、（ｂ）は撮像装置を防水ケース内に収納した状態を示す図である。
【符号の説明】
【００５３】
１  光学系
２  絞り装置
３  ＣＣＤ
４  CDS・A／D回路
５  ＴＧ回路
６  データバス
７  記憶装置（メモリ）
８  積分回路
９  測光評価回路
１０  信号処理回路
１１  圧縮回路
１２  記録媒体
１３  ストロボ装置
１４  ＣＰＵ
１５  操作部
４０  防水ケース
５０  撮像装置
【図１】
2007019643.tif 000003
【図２】
2007019643.tif 000004
【図３】
2007019643.tif 000005
【図４】
2007019643.tif 000006